(57)【要約】【課題】  部品点数が少なく、各壁パネル間の組み付けを強固にでき、組み付け作業が容易になる壁パネルの接合構造を提供すること。【解決手段】  壁パネル１３ａ，１３ｂを、ジョイント材２１を用いた接合構造２０で接合した。ジョイント材２１を、壁パネル１３ａ，１３ｂ間に配置されるスペーサ部２４と、スペーサ部２４の両面から延びる係合突部２６ａ，２６ｂと、スペーサ部２４に補強部２５を介して連結されたフック部２７ａ，２７ｂとで構成した。そして、壁パネルの１３ａ，１３ｂに、係合突部２６ａ，２６ｂと係合して壁パネル１３ａ，１３ｂの表裏方向へのずれを防止する係合溝部２２ａ，２２ｂと、フック部２７ａ，２７ｂと係合して壁パネル１３ａ，１３ｂの壁面に沿った方向へのずれを防止するフック用溝部２３ａ，２３ｂとを設けた。また、係合突部２６ａの先端部に切欠き部２８を設けた。【選択図】  図３
2005146591.tif 000002
【特許請求の範囲】
【請求項１】
複数の壁パネルの側縁部同士を、前記側縁部に沿って上下方向に延びるジョイント材を用いて接合する壁パネルの接合構造であって、前記ジョイント材を、隣接する壁パネルの側縁部間に配置され前記両側縁部の端面にそれぞれ接する接触面を有するスペーサ部と、前記スペーサ部の接触面から前記接触面に対して直交して延びる係合突部と、前記ジョイント材の所定部分に連結され前記接触面に対して平行して延びるフック部とを備えた一体からなる部材で構成し、前記壁パネルの側縁部に、前記係合突部と係合して前記壁パネルの表裏方向へのずれを防止する係合溝部と、前記フック部と係合して前記壁パネルの壁面に沿った方向へのずれを防止するフック用溝部とを設けたことを特徴とする壁パネルの接合構造。
【請求項２】
前記ジョイント材の所定部分を、前記スペーサ部における室外側の端部に、前記スペーサ部と直交して設けられ前記壁パネルの壁面に接触する補強部で構成し、前記補強部の両端部に前記フック部を設けた請求項１に記載の壁パネルの接合構造。
【請求項３】
前記ジョイント材の所定部分を、前記係合突部で構成し、前記係合突部の先端部にそれぞれフック部を設けた請求項１に記載の壁パネルの接合構造。
【請求項４】
前記フック部の先端部が室内側に向くようにして前記フック部を形成するとともに、前記スペーサ部の室外側の端部に、前記スペーサ部と直交し壁パネルの壁面に接触する補強部を設けた請求項３に記載の壁パネルの接合構造。
【請求項５】
前記フック部の先端部が室内側に向くようにして前記フック部を形成するとともに、前記係合突部と前記係合溝部との間および前記フック部と前記フック用溝部との間に遊びを設け、設置された一方の壁パネルに取り付けられたジョイント材の前記係合突部に対して、他方の壁パネルの係合溝部を係合させながら前記他方の壁パネルを室内側から室外側に向けて前記ジョイント材を中心として回転させ、前記他方の壁パネルが設置位置に達したときに、前記係合突部と前記係合溝部および前記フック部と前記フック用溝部とがそれぞれ係合するように構成した請求項１ないし４のうちのいずれか一つに記載の壁パネルの接合構造。
【発明の詳細な説明】
【技術分野】
【０００１】
本発明は、複数の壁パネルの側縁部同士を側縁部に沿って上下方向に延びるジョイント材を用いて接合する壁パネルの接合構造に関する。
【背景技術】
【０００２】
従来から、例えば、ユニット式の浴室や洗面室は、フロアの周縁部に複数の壁パネルを起立状態で取り付けるとともに、各壁パネルの上端部に天井パネルを取り付けて構成されている。そして、各壁パネル間は、ジョイント材（スペーサ）を用いた接合構造によって接合されている（例えば、特許文献１参照。）。
【０００３】
この接合構造は、各壁パネルの側端面に上下に延びる溝部を設け、隣接された壁パネルの両溝部にスペーサを係合させることにより構成されている。スペーサは、壁パネルの側端面間に位置する被挟持片部材と、被挟持片部材の両面から被挟持片部材に直交して延びて壁パネルの溝部に係合する渡設片部材と、被挟持片部材の端部から被挟持片部材に直交して延びて壁パネルの壁面に接触する補強片部材とで構成されている。
【０００４】
そして、この接合構造によって壁パネルを組み付ける際には、フロアの周縁部に壁パネルを起立状態で設置し、設置した壁パネルの溝部に渡設片部材を位置決めした状態で、各壁パネル間にスペーサを上方から差し込む。そして、壁パネル境界部の上端部をクリップやコーナ接続金具等の部品を用いて固定している。この場合、壁パネルを直線状に平継ぎするときにはクリップが用いられ、壁パネル同士を直交させて接合するときには、コーナ接続金具やねじが使用される。
【特許文献１】特開２０００−３０３５９０号公報
【発明の開示】
【０００５】
しかしながら、前述した従来の壁パネルの接合構造では、クリップ、コーナ接続金具、ねじ等の多数の部品が必要になり、組立作業や分解作業が煩雑になるという問題がある。また、各壁パネル間の固定が各壁パネルの上下の端部だけに用いられるクリップ等で行われるため、各壁パネル間の組み付けを強固にできないという問題もある。
【０００６】
本発明は、前述した問題に対処するためになされたもので、その目的は、部品点数が少なく、各壁パネル間の組み付けを強固にでき、組み付け作業が容易になる壁パネルの接合構造を提供することである。
【０００７】
上記の目的を達成するため、本発明にかかる壁パネルの接合構造の構成上の特徴は、複数の壁パネルの側縁部同士を、側縁部に沿って上下方向に延びるジョイント材を用いて接合する壁パネルの接合構造であって、ジョイント材を、隣接する壁パネルの側縁部間に配置され両側縁部の端面にそれぞれ接する接触面を有するスペーサ部と、スペーサ部の接触面から接触面に対して直交して延びる係合突部と、ジョイント材の所定部分に連結され接触面に対して平行して延びるフック部とを備えた一体からなる部材で構成し、壁パネルの側縁部に、係合突部と係合して壁パネルの表裏方向へのずれを防止する係合溝部と、フック部と係合して壁パネルの壁面に沿った方向へのずれを防止するフック用溝部とを設けたことにある。
【０００８】
前述のように構成した本発明にかかる壁パネルの接合構造では、各壁パネルの側縁部に、側端面から壁パネルの内部側に向って延びる係合溝部と、壁パネルの厚み方向（表裏方向）に向って延びるフック用溝部とを上下方向に沿って設けている。そして、ジョイント材に、両壁パネルの係合溝部と係合して、両壁パネルの表裏方向へのずれを防止する係合突部と、両壁パネルのフック用溝部と係合して両壁パネルの壁面に沿った方向へのずれを防止するフック部とを設けている。
【０００９】
したがって、各隣接した壁パネルは、互いに、表裏方向および壁面に沿った方向へのずれを防止された状態で組み付けられる。この場合、壁パネルを直線状に平継ぎするときには、ジョイント材のスペーサ部を、板状に形成してその両面に直線状になるように係合突部を突出させる。また、壁パネル同士を直交させて接合するときには、ジョイント材のスペーサ部を、直交する接触面を備えた構成にして、両壁パネルの側端面に接触できるようにする。この接合構造では、一体的に構成されたジョイント材だけで両壁パネルを固定できるため、従来のクリップ等の他の部品が不要になる。これによって、組立作業や分解作業が容易になる。
【００１０】
本発明にかかる壁パネルの接合構造の他の構成上の特徴は、ジョイント材の所定部分を、スペーサ部における室外側の端部にスペーサ部と直交して設けられ壁パネルの壁面に接触する補強部で構成し、補強部の両端部にフック部を設けたことにある。これによると、ジョイント材に、両壁パネルの壁面に接触して両壁パネルを面一状に支持する補強部が設けられているため、壁パネルの接合構造がより強固になる。また、この場合、フック用溝部は、フック部の位置に合わせて、壁パネルの室外側の壁面に設けられる。
【００１１】
本発明にかかる壁パネルの接合構造のさらに他の構成上の特徴は、ジョイント材の所定部分を、係合突部で構成し、係合突部の先端部にそれぞれフック部を設けたことにある。これによると、ジョイント材の構造が簡単になり製造が容易になる。この場合、フック用溝部は、フック部の位置に合わせて、係合溝部の奥端に係合溝部と直交して設けられる。このフック部およびフック用溝部は、先端部が室内側に向って延びるように形成してもよいし、室外側に向って延びるように形成してもよい。また、フック部およびフック用溝部の先端部が室内側に向くようにして、フック部およびフック用溝部を形成するとともに、スペーサ部の室外側の端部に、スペーサ部と直交し壁パネルの壁面に接触する補強部を設けることもできる。これによると、壁パネルの接合構造が強固になる。
【００１２】
本発明にかかる壁パネルの接合構造のさらに他の構成上の特徴は、フック部の先端部が室内側に向くようにしてフック部を形成するとともに、係合突部と係合溝部との間およびフック部とフック用溝部との間に遊びを設け、設置された一方の壁パネルに取り付けられたジョイント材の係合突部に対して、他方の壁パネルの係合溝部を係合させながら他方の壁パネルを室内側から室外側に向けてジョイント材を中心として回転させ、他方の壁パネルが設置位置に達したときに、係合突部と係合溝部およびフック部とフック用溝部とがそれぞれ係合するように構成したことにある。
【００１３】
これによると、フロアの縁部に設置した壁パネルの側縁部の係合溝部とフック用溝部に、ジョイント材の一方の係合突部とフック部とをそれぞれ係合させることにより、壁パネルにジョイント材を取り付ける。そして、そのジョイント材の他方の係合突部に係合溝部を合わせながら他方の壁パネルをジョイント材を中心として回転させるだけで、壁パネル同士の組み付けができるため組立作業が極めて簡単になる。この場合の遊びとしては、係合溝部およびフック用溝部に対して、係合突部やフック部を小さくしたり、係合突部の先端室外側部分に切欠き部や曲面部を設けたりしたもので構成することができる。
【００１４】
また、この遊びは、一方の係合突部やフック部だけに形成しても良いし、双方の係合突部やフック部に形成してもよい。一方の係合突部やフック部だけに遊びを形成する場合には、遊びのない係合突部やフック部の壁パネルへの取り付けは、壁パネルの係合溝部とフック用溝部に係合突部とフック部を位置決めした状態で、ジョイント材を壁パネルの側端部に合わせて叩き込むことによって係合溝部とフック用溝部に係合突部とフック部を係合させて行うことができる。
【発明を実施するための最良の形態】
【００１５】
以下、本発明にかかる壁パネルの接合構造の各実施形態を図面を用いて詳しく説明する。
【００１６】
（第１実施形態）
図１は、本発明の第１実施形態にかかる壁パネルの接合構造２０，３０を備えた浴室ユニット１０の内部を上方から見た状態を示している。この浴室ユニット１０は、浴槽１１を備えており、浴槽１１は、浴槽フロア（図示せず）の上面に設置されている。そして、浴槽フロアの一方の縁部（浴室ユニット１０の中央側の縁部）には、浴槽フロアとでフロア１２を構成する洗い場フロアが接続され、浴槽フロアと洗い場フロアとからなるフロア１２の周縁部に壁パネル１３ａ，１３ｂ，１３ｃ，１３ｄ，１３ｅおよびドア１４が起立状態で設置されている。このドア１４は、浴室ユニット１０と脱衣室（図示せず）との間を開閉する。
【００１７】
壁パネル１３ａ，１３ｂは、接合構造２０によって接合され、壁パネル１３ａ，１３ｅ、壁パネル１３ｂ，１３ｃおよび壁パネル１３ｃ，１３ｄは、それぞれ接合構造３０によって接合されている。また、ドア１４は、ドア取り付け用の枠等からなる所定の取り付け構造（図示せず）によって、壁パネル１３ｄ，１３ｅ間に取り付けられている。そして、壁パネル１３ａ等の各壁パネルの上端には、天井パネル（図示せず）が掛け渡されて固定されている。浴室ユニット１０を構成する浴槽１１、フロア１２、壁パネル１３ａ等および天井パネルの各本体部分は、それぞれ樹脂の成形体で構成されている。
【００１８】
フロア１２の上面における壁パネル１３ａに沿った部分にカウンター１５が設けられ、カウンター１５の上方における壁パネル１３ａに沿った部分に棚１６ａや鏡１６ｂが設けられている。また、カウンター１５の上方には、カウンター１５で使用する湯や水を取り出すための水栓１７ａが設けられ、浴槽１１の上面におけるカウンター１５側の角部には、浴槽１１内に湯や水を取り出すための水栓１７ｂが設けられている。また、壁パネル１３ｃ，１３ｅの中央には、それぞれ手摺１８ａ，１８ｂが設けられている。
【００１９】
フロア１２は、床面部１２ａと、床面部１２ａの周縁部から立ち上がった立上げ部１２ｂ（図２参照）とで構成され、立上げ部１２ｂの上端に各壁パネル１３ａ等が並んで取り付けられている。立上げ部１２ｂは、床面部１２ａの縁部から立ち上がった垂直部と、垂直部の上端から浴室ユニット１０の外部（以下、室外と記す。）に向かって水平方向に延びる水平部とからなり、その断面形状はＬ字形を上下に反転させた形状に形成されている。そして、水平部の上面における略中央部に、水平部の長手方向に沿った水平突部１９ａが上方に突出して設けられている。
【００２０】
壁パネル１３ａ等の下端面における中央部には、壁パネル１３ａ等の長手方向（図１の壁パネル１３ａにおける左右方向）に沿って水平溝部１９ｂが設けられている。したがって、例えば、図２（ａ）のように、水平溝部１９ｂを水平突部１９ａに対向させた状態で、壁パネル１３ａを下降させることにより、図２（ｂ）のように、水平突部１９ａに水平溝部１９ｂが係合して、壁パネル１３ａは立上げ部１２ｂに取り付けられる。そして、壁パネル１３ａ，１３ｂは、図３に示したジョイント材２１を備えた接合構造２０によって接合される。
【００２１】
図３は、接合構造２０の横断面を示しており、壁パネル１３ａ，１３ｂの対向する側端面の中央には、それぞれ上下方向に沿って延びる係合溝部２２ａ，２２ｂが側端面に直交して設けられている。また、壁パネル１３ａ，１３ｂの外側面には、それぞれ上下方向に沿って延びるフック用溝部２３ａ，２３ｂが室内側に向うように壁パネル１３ａ，１３ｂの外側面に直交して設けられている。
【００２２】
ジョイント材２１は、壁パネル１３ａ，１３ｂの対向する側端面に沿うように上下に長く形成された部材で構成されており、係合溝部２２ａ，２２ｂおよびフック用溝部２３ａ，２３ｂに係合することにより壁パネル１３ａ，１３ｂを接合する。このジョイント材２１は、壁パネル１３ａ，１３ｂの側端面間に位置決めされる平面板状のスペーサ部２４と、スペーサ部２４の室外側端部にスペーサ部２４と直交して連結された平面板状の補強部２５とを備えている。
【００２３】
そして、スペーサ部２４の両面からそれぞれスペーサ部２４に直交して係合突部２６ａ，２６ｂが突出し、補強部２５の両端からそれぞれ室内側に向うように補強部２５に直交してフック部２７ａ，２７ｂが突出している。係合突部２６ａ，２６ｂは、それぞれ対応する係合溝部２２ａ，２２ｂに係合可能になっており、係合突部２６ａの先端室外側部分には、本発明の遊びとしての切欠き部２８が形成されている。この切欠き部２８によって、係合溝部２２ａと係合突部２６ａとの間に隙間が生じるため、図４の状態からジョイント材２１に対して壁パネル１３ａを図３のように室外側に回転させることができる。
【００２４】
係合突部２６ａの基部は、係合溝部２２ａの開口側縁部に確実に接触するように形成されており、係合溝部２２ａと係合突部２６ａとが係合した状態では、壁パネル１３ａはジョイント材２１に対して表裏方向に位置ずれしない。また、係合突部２６ｂには、切欠き部は設けられてなく、係合溝部２２ｂと係合突部２６ｂとの間においては、係合溝部２２ｂの奥端部に多少の隙間が形成されているだけである。したがって、係合溝部２２ｂと係合突部２６ｂとは強固に係合している。
【００２５】
フック部２７ａ，２７ｂは、それぞれ対応するフック用溝部２３ａ，２３ｂに係合可能になっており、フック部２７ａ，２７ｂは、フック用溝部２３ａ，２３ｂよりも小さく形成されている。このため、フック部２７ａ，２７ｂは、フック用溝部２３ａ，２３ｂに容易に係合できる。しかしながら、係合溝部２２ａ，２２ｂと係合突部２６ａ，２６ｂおよびフック用溝部２３ａ，２３ｂとフック部２７ａ，２７ｂのそれぞれ対応する部分が係合したときには、フック部２７ａはフック用溝部２３ａの内周面に強固に係合し、フック部２７ｂはフック用溝部２３ｂの内周面に強固に係合する。
【００２６】
このように、壁パネル１３ａ，１３ｂは、係合溝部２２ａ，２２ｂに係合突部２６ａ，２６ｂが係合することによって、互いの表裏方向へのずれを防止し、フック用溝部２３ａ，２３ｂにフック部２７ａ，２７ｂが係合することによって、互いの壁面に沿った左右方向へのずれを防止している。これによって、壁パネル１３ａ，１３ｂは、互いにずれることなく強固に組み付けられている。
【００２７】
この場合の組み付けは、まず、壁パネル１３ｂの係合溝部２２ｂに、ジョイント材２１の係合突部２６ｂにおける先端部を合わせた状態で、係合突部２６ａ側を係合溝部２２ｂに向って叩き込むことにより、係合突部２６ｂを係合溝部２２ｂに嵌合させる。これによって、フック用溝部２３ｂとフック部２７ｂも係合する。そして、このジョイント材２１が取り付けられた壁パネル１３ｂの水平溝部１９ｂを立上げ部１２ｂの水平突部１９ａに係合させて、壁パネル１３ｂを立上げ部１２ｂの所定の位置に取り付ける。つぎに、壁パネル１３ａをやや上方に持ち上げて、ジョイント材２１の係合突部２６ａに係合溝部２２ａを合わせて、図４の状態にする。
【００２８】
ついで、壁パネル１３ａをジョイント材２１を中心として室外側に回転させることにより、図３に示したように、係合溝部２２ａと係合突部２６ａおよびフック用溝部２３ａとフック部２７ａとを係合させる。この場合、壁パネル１３ａの側縁部室外側部分は、係合突部２６ａの先端部を包み込むようにして係合突部２６ａと補強部２５との間に入り込む。この係合は、係合突部２６ａの先端部に切欠き部２８が設けられているため容易に行える。そして、フック用溝部２３ａにフック部２７ａが係合したのちに、壁パネル１３ａを壁パネル１３ｂに対してスライドさせながら下降させて、壁パネル１３ａの水平溝部１９ｂを立上げ部１２ｂの水平突部１９ａの所定位置に係合させる。
【００２９】
図５は、ジョイント材３１を用いて壁パネル１３ａ，１３ｅを接合した接合構造３０の横断面を示している。壁パネル１３ａ，１３ｅはフロア１２の角部に直交して配置され、その側端面の中央には、それぞれ係合溝部２２ａ，２２ｂと同様の係合溝部３２ａ，３２ｅが上下方向に沿って設けられ、外側面には、フック用溝部２３ａ，２３ｂと同様のフック用溝部３３ａ，３３ｅが上下方向に沿って設けられている。
【００３０】
ジョイント材３１は、壁パネル１３ａ，１３ｅの直交する側端面に沿うように上下に長く形成された部材で構成されており、係合溝部３２ａ，３２ｅおよびフック用溝部３３ａ，３３ｅに係合することにより壁パネル１３ａ，１３ｅを組み付ける。このジョイント材３１では、壁パネル１３ａ，１３ｅの側端面間に位置決めされるスペーサ部３４は、壁パネル１３ａの側端面に接触する接触面部３４ａと、壁パネル１３ｅの側端面に接触する接触面部３４ｅと、接触面部３４ａ，３４ｅの室外側の縁部同士を連結する連結部３４ｂと、接触面部３４ａ，３４ｅが交わる角部と連結部３４ｂの中央部と連結する補強部３４ｃとで構成されている。
【００３１】
そして、スペーサ部３４の一方の室外側縁部から壁パネル１３ａの外側面に沿って、補強部３５ａが延び、スペーサ部３４の他方の室外側縁部から壁パネル１３ｅの外側面に沿って、補強部３５ｅが延びている。また、接触面部３４ａ，３４ｅからそれぞれ接触面部３４ａ，３４ｅに直交して係合突部２６ａ，２６ｂと同様の係合突部３６ａ，３６ｅが突出し、補強部３５ａ，３５ｅの端部からそれぞれ室内側に向うようにフック部２７ａ，２７ｂと同様のフック部３７ａ，３７ｅが突出している。
【００３２】
係合突部３６ａ，３６ｅは、それぞれ対応する係合溝部３２ａ，３２ｅに係合可能になっており、フック部３７ａ，３７ｅは、それぞれ対応するフック用溝部３３ａ，３３ｅに係合可能になっている。また、係合突部３６ｅの先端室外側部分には、切欠き部２８と同様の切欠き部３８が形成され、この切欠き部３８によって、係合溝部３２ｅと係合突部３６ｅとの間に遊びが生じ、ジョイント材３１に対して壁パネル１３ｅを回転させることができる。
【００３３】
また、係合溝部３２ａと係合突部３６ａとは、係合溝部３２ａの奥端部に多少の隙間を設けた状態で強固に固定されている。フック部３７ａ，３７ｅと、フック用溝部３３ａ，３３ｅとの係合状態は、フック部２７ａ，２７ｂと、フック用溝部２３ａ，２３ｂとの係合状態と同様になっている。この場合も、壁パネル１３ａ，１３ｅは、係合溝部３２ａ，３２ｅに係合突部３６ａ，３６ｅが係合することによって、互いの表裏方向へのずれを防止し、フック用溝部３３ａ，３３ｅにフック部３７ａ，３７ｅが係合することによって、壁面に沿った方向へのずれを防止している。これによって、壁パネル１３ａ，１３ｂは、互いにずれることなく強固に組み付けられている。
【００３４】
この場合の組み付けも前述した壁パネル１３ａ，１３ｂの組み付けと略同様の方法によって行われる。すなわち、前述した壁パネル１３ｂの側部に壁パネル１３ａを組み付ける作業の際に、壁パネル１３ａの係合溝部３２ａとフック用溝部３３ａに、ジョイント材３１の係合突部３６ａとフック部３７ａを係合させておく。そして、前述したように、壁パネル１３ｅを回転させながらジョイント材３１の係合突部３６ｅとフック部３７ｅに取り付ける。
【００３５】
また、壁パネル１３ｂ，１３ｃ間および壁パネル１３ｃ，１３ｄ間の角部も同様の接合構造３０によって接合されている。壁パネル１３ｃを壁パネル１３ｂに組み付ける場合には、前述したジョイント材３１の上下を反転させて、係合突部３６ｅの切欠き部３８が壁パネル１３ｃ側に位置するようにしてジョイント材３１を壁パネル１３ｂに取り付けておく。そして、壁パネル１３ｂに固定されたジョイント材３１に壁パネル１３ｃを前述した方法で取り付ける。壁パネル１３ｃ，１３ｄの組み付けも同様にして行われる。
【００３６】
このように、本発明の第１実施形態にかかる接合構造２０では、係合溝部２２ａ，２２ｂに直線状に形成された係合突部２６ａ，２６ｂが係合することによって、壁パネル１３ａ，１３ｂは互いの表裏方向へのずれを防止できる。また、壁パネル１３ａ，１３ｂの外側面に形成されたフック用溝部２３ａ，２３ｂにフック部２７ａ，２７ｂが係合することによって、壁パネル１３ａ，１３ｂは、壁面に沿った方向へのずれを防止できる。これによって、壁パネル１３ａ，１３ｂは、互いにずれることなく平継ぎ状態で強固に組み付けられる。
【００３７】
また、接合構造３０では、ジョイント材３１のスペーサ部３４を、直交する接触面部３４ａ，３４ｅを備えた構成にして、壁パネル１３ａ，１３ｅの側端面に接触できるようにしている。また、係合溝部３２ａ，３２ｅ、係合突部３６ａ，３６ｅ、フック用溝部３３ａ，３３ｅおよびフック部３７ａ，３７ｅは、接合構造２０の対応する部分と同一に形成されている。したがって、直交して角部に組み付けられる壁パネル１３ａ，１３ｅも互いにずれることなく強固に組み付けられる。
【００３８】
また、前述した実施形態では、先に設置される壁パネル１３ｂまたは壁パネル１３ａの側縁部にジョイント材２１またはジョイント材３１を取り付けておき、その状態のジョイント材２１またはジョイント材３１に、後から設置される壁パネル１３ａまたは壁パネル１３ｅを回転させながら取り付けるだけであるため、組立作業が極めて簡単になる。また、ジョイント材２１，３１には、切欠き部２８，３８が設けられているため、その組立が容易に行える。
【００３９】
（第２実施形態）
図６は、本発明の第２実施形態にかかる接合構造４０の横断面を示している。この接合構造４０は、壁パネル４９ａ，４９ｂをジョイント材４１を用いて平継ぎするためのものであり、壁パネル４９ａ，４９ｂの対向する側端面の中央には、それぞれ上下方向に沿って延びる係合溝部４２ａ，４２ｂが側端面に直交して設けられている。そして、係合溝部４２ａ，４２ｂの奥端部からは、それぞれ上下方向に沿って延びるフック用溝部４３ａ，４３ｂが室内側に向うように壁パネル４９ａ，４９ｂの側端面に平行して設けられている。
【００４０】
ジョイント材４１は、壁パネル４９ａ，４９ｂの側端面に沿うように上下方向に長く形成された部材で構成されており、係合溝部４２ａ，４２ｂおよびフック用溝部４３ａ，４３ｂに係合することにより壁パネル４９ａ，４９ｂを接合する。このジョイント材４１は、壁パネル４９ａ，４９ｂの側端面間に位置決めされる平面板状のスペーサ部４４と、スペーサ部４４の室外側端部にスペーサ部４４と直交して連結された平面板状の補強部４５とを備えている。
【００４１】
そして、スペーサ部４４の両面からそれぞれスペーサ部４４に直交して係合突部４６ａ，４６ｂが突出し、係合突部４６ａ，４６ｂの先端部からそれぞれ室内側に向かってフック部４７ａ，４７ｂが突出している。また、係合突部４６ａの先端室外側部分には、切欠き部４８が形成されている。係合突部４６ａ，４６ｂは、それぞれ対応する係合溝部４２ａ，４２ｂよりも小さく形成されて係合溝部４２ａ，４２ｂに係合可能になっている。そして、フック部４７ａ，４７ｂも、それぞれ対応するフック用溝部４３ａ，４３ｂよりも小さく形成されてフック用溝部４３ａ，４３ｂに係合可能になっている。
【００４２】
この場合も、前述した実施形態における接合構造２９と同様、壁パネル４９ｂの側縁部にジョイント材４１を取り付け、そのジョイント材４１の係合突部４６ａおよびフック部４７ａに係合溝部４２ａを合わせた状態で、壁パネル４９ａをジョイント材４１を中心として室外側に回転させることにより、壁パネル４９ｂに壁パネル４９ａを組み付けることができる。このとき、ジョイント材４１のフック部４７ａから係合突部４６ａの基部側に向って係合溝部４２ａの内周面を被せるようにして、壁パネル４９ａを回転させる。
【００４３】
また、フック部４７ａ，４７ｂは、フック用溝部４３ａ，４３ｂに容易に係合でき、係合溝部４２ａ，４２ｂと係合突部４６ａ，４６ｂおよびフック用溝部４３ａ，４３ｂとフック部４７ａ，４７ｂのそれぞれが係合したときには、フック部４７ａはフック用溝部４３ａの内周面に強固に係合し、フック部４７ｂはフック用溝部４３ｂの内周面に強固に係合する。この接合構造４０のそれ以外の作用効果については、前述した接合構造２０と同様である。
【００４４】
図７は、角部に設置される壁パネル５９ａ，５９ｂをジョイント材５１を用いて接合する接合構造５０の横断面を示している。この接合構造５０では、壁パネル５９ａ，５９ｂの側縁部が、前述した壁パネル４９ａ，４９ｂの側縁部と同一の構造になっており、係合溝部５２ａ，５２ｂとフック用溝部５３ａ，５３ｂとが連続する溝部で構成されている。
【００４５】
そして、ジョイント材５１のスペーサ部５４は、ジョイント材３１のスペーサ部３４と同一構造に形成され、その接触面部５４ａ，５４ｂからは、それぞれ係合突部４６ａ，４６ｂおよびフック部４７ａ，４７ｂと同一形状の係合突部５６ａ，５６ｂおよびフック部５７ａ，５７ｂが突出している。そして、スペーサ部５４の室外側両縁部からは、それぞれ補強部５５ａ，５５ｂが壁パネル５９ａ，５９ｂの外側面に沿って延びている。この接合構造５０によっても、接合構造３０と同様、角部に設置される壁パネル５９ａ，５９ｂが互いにずれることなく、強固に組み付けることができる。この場合も前述した実施形態と同様簡単な操作で壁パネル５９ａ，５９ｂを組み付けることができ、同様の作用効果を奏する。
【００４６】
（第３実施形態）
図８は、本発明の第３実施形態にかかる接合構造６０の横断面を示している。この接合構造６０では、壁パネル６０ａの側端面中央に係合溝部６２ａが設けられ、壁パネル６０ｂの側端面中央に係合溝部６２ｂが設けられている。係合溝部６２ａ，６２ｂは、ともに奥行きの長さが室内側が短く室外側が長くなった二段状の溝部で構成されている。また、壁パネル６０ａの外側面には、フック用溝部６３ａが設けられ、壁パネル６０ｂの外側面には、フック用溝部６３ｂが設けられている。
【００４７】
ジョイント部６１は、壁パネル６０ａ，６０ｂの側端面間に位置決めされるスペーサ部６１ａと、スペーサ部６１ａの室外側端部に連結されて壁パネル６０ａ，６０ｂの外側面に接触する補強部６１ｂとを備えている。スペーサ部６１ａは、室内側部分と室外側部分とに分かれて構成されており、室内側部分の端部は、壁パネル６０ａ，６０ｂ間における表面よりも奥側に位置している。そして、その先端には、係合突起６１ｇが形成されている。
【００４８】
また、スペーサ部６１ａの両面からそれぞれスペーサ部６１ａの室内側部分と室外側部分とを接続するように係合突部６１ｃ，６１ｄが突出している。この係合突部６１ｃ，６１ｄとスペーサ部６１ａの室内側部分と室外側部分との間には空洞部６５ｃが形成されている。係合突部６１ｃ，６１ｄは、それぞれ対応する係合溝部６２ａ，６２ｂの奥行きが長い部分に係合し、補強部６１ｂの両端からはそれぞれフック部６１ｅ，６１ｆが突出して対応するフック用溝部６３ａ，６３ｂに係合している。
【００４９】
また、係合突部６１ｃの室外側の側面は、凹凸面６４ａに形成され、係合突部６１ｄの先端側における室外側の側面には、切欠き部６４ｂが形成されている。そして、係合突部６１ｃは、凹凸面６４ａを係合溝部６２ａの対向面に押し付けた状態で、係合溝部６２ａに係合している。また、係合突部６１ｄの室内側部分および基部室外側は、係合溝部６２ｂの周面に接触しており、これによって、壁パネル６０ｂはジョイント部６１に対して表裏方向に位置ずれしないようになっている。また、切欠き部６４ｂによって、係合溝部６２ｂと係合突部６１ｄとの間に隙間が生じるため、壁パネル６０ｂを、ジョイント部６１を中心として室内側から図８に示した位置に回転させることができる。
【００５０】
また、係合突部６１ｃ，６１ｄの室内側部分の中央には、それぞれパッキン材用溝部６５ａ，６５ｂが形成されている。パッキン材用溝部６５ａ，６５ｂは、中央に幅の狭い部分が形成され、その幅の狭い部分を挟んで係合突部６１ｃ，６１ｄの表面側に溝部本体６６ａ，６６ｂが形成され、奥側に抜け止め用溝部６７ａ，６７ｂが形成されている。そして、パッキン材用溝部６５ａ，６５ｂ内に、パッキン材６８がそれぞれ取り付けられている。パッキン材６８は、弾性を有するゴムからなり、溝部本体６６ａ，６６ｂ内に位置決めされる部分と、抜け止め用溝部６７ａ，６７ｂ内に位置決めされる部分と、その双方を接続する幅の狭い部分とで構成されている。
【００５１】
そして、壁パネル６０ａ，６０ｂ間における室内側部分に、目地材６９が取り付けられている。この目地材６９は、軟質ゴムからなる成形品で構成されており、スペーサ部６１ａの先端に形成された係合突起６１ｇと係合可能な凹部６９ａを備えている。この凹部６９ａに係合突起６１ｇを係合させて、壁パネル６０ａ，６０ｂ間に押し込まれることにより、目地材６９は、壁パネル６０ａ，６０ｂ間を止水する。
【００５２】
この場合の組み付けは、まず、ジョイント部６１のパッキン材用溝部６５ａ，６５ｂ内にそれぞれパッキン材６８を取り付け、壁パネル６０ａの係合溝部６２ａに、ジョイント部６１の係合突部６１ｃを嵌合させる。これによって、パッキン材６８が、係合溝部６２ａの周面に強く押し付けられて係合突部６１ｃと係合溝部６２ａの周面との間を止水した状態で、ジョイント部６１は壁パネル６０ａに取り付けられる。この際、フック用溝部６３ａとフック部６１ｅも係合する。そして、前述した実施形態での操作と同じ操作を行うことにより、壁パネル６０ａ，６０ｂをフロア（図１０参照）８２に順次取り付ける。そして、スペーサ部６１ａの係合突起６１ｇに目地材６９を取り付けて、接合構造６０が組み付けられる。
【００５３】
図９は、ジョイント材７１を用いて壁パネル６０ｂ，６０ｃをフロア８２の角部に直交するように組み付けた接合構造７０の横断面を示している。壁パネル６０ｂ，６０ｃの側端面の中央には、それぞれ係合溝部７２ｂ，７２ｃが設けられ、外側面には、フック用溝部７３ｂ，７３ｃが設けられている。ジョイント材７１は、係合溝部７２ｂ，７２ｃおよびフック用溝部７３ｂ，７３ｃに係合することにより壁パネル６０ｂ，６０ｃを組み付けている。このジョイント材７１では、スペーサ部７１ａの断面形状が、内部が空洞になった略Ｌ形に形成されており、このスペーサ部７１ａは、略Ｌ形の角部における内部と外部とを補強部で接続して構成されている。
【００５４】
そして、スペーサ部７１ａの一方の室外側縁部から壁パネル６０ｂの外側面に沿って、先端にフック部７１ｅが形成された補強部７８ｂが延び、スペーサ部７１ａの他方の室外側縁部から壁パネル６０ｃの外側面に沿って、先端にフック部７１ｆが形成された補強部７８ｃが延びている。また、スペーサ部７１ａのそれぞれ壁パネル６０ｂ，６０ｃの側端面に接触する面からは、係合突部７１ｃ，７１ｄが突出している。また、スペーサ部７１ａの角部室内側部分には、係合突起７１ｇが形成されている。
【００５５】
係合突部７１ｃは、凹凸面７４ｂと、溝部本体７６ｂおよび抜け止め用溝部７７ｂを備えたパッキン材用溝部７５ｂとを備え、係合突部７１ｄは、切欠き部７４ｃと、溝部本体７６ｃおよび抜け止め用溝部７７ｃを備えたパッキン材用溝部７５ｃとを備えている。そして、パッキン材用溝部７５ｂ，７５ｃにそれぞれパッキン材６８が取り付けられている。また、壁パネル６０ｂ，６０ｃ間の室内側部分に、凹部６９ａを係合突起７１ｇに係合させて目地材６９が取り付けられている。この場合の組み付けも前述した壁パネル６０ａ，６０ｂの組み付け等と略同様の方法によって行われる。
【００５６】
また、図１０は、壁パネル６０ｂ等とフロア８２との接続部を示している。このフロア８２では、床面部の周縁部に、上方に向かって突出した立上げ部８３が形成されており、立上げ部８３の上端に各壁パネル６０ａ等が並んで取り付けられる。立上げ部８３は、床面部の縁部から立ち上がった垂直部と、垂直部の上端から室外側に向かって水平方向に延びる水平部とからなり、その水平部の先端部に、上下方向の幅が厚みよりも大きく設定された水平突部８４が水平部の長手方向に沿って設けられている。
【００５７】
また、壁パネル６０ａ等の下端面における中央部には、係合溝部６２ａ，６２ｂ，７２ｂ，７２ｃの横断面形状と、縦断面形状が同一に形成された水平溝部８５が設けられ、それぞれ対応する係合溝部６２ａ等と水平溝部８５とは壁パネル６０ａ，６０ｂ等の側端面と下端面との角部で繋がっている。この水平溝部８５の室内側部分には、シール材８６が設置されている。したがって、立上げ部８３の上面における水平突部８４の室内側にシール材８６を設置し、水平突部８４に水平溝部８５を係合させることにより、壁パネル６０ａ等を立上げ部８３に取り付けることができる。
【００５８】
また、その際、シール材８６によって、立上げ部８３の上面と壁パネル６０ａ等の下面との間が止水される。この第３実施形態によると、各壁パネル６０ａ，６０ｂ等の間や、フロア８２と壁パネル６０ａ等の間の止水性を向上させ、かつ、各壁パネル６０ａ，６０ｂ等の間を強固に接続することができる。それ以外の作用効果については、前述した第１，２実施形態と同様である。
【００５９】
また、本発明にかかる壁パネルの接合構造は、前述した各実施形態に限定するものでなく、適宜変更して実施することができる。例えば、前述した各実施形態では、一方の係合突部だけに切欠き部を設けて、他方の係合突部には切欠き部を設けてないが、この切欠き部を両方の係合突部に設けてもよい。これによると、先に設置される壁パネルの側端面に予めジョイント材を無理嵌めによって取り付けておく必要がなくなり、設置された壁パネルに対して回転させながらジョイント材を取り付けることができる。その結果、ジョイント材の取り付けが容易になる。
【００６０】
また、前述した各実施形態では、係合突部２６ａ等の先端に凹部からなる切欠き部２８等を形成しているが、この切欠き部２８等に代えて、傾斜面を形成したり、係合突部の先端部を丸くなった曲面部に形成したりすることもできる。更に、前述した浴室ユニット１０の壁パネルの構成は一例であり、壁パネル１３ｃ，１３ｅ，１３ｄ等を２枚以上の壁パネルで構成し、接合構造２０，４０で接合する構成とすることも勿論可能である。また、前述した各実施形態では、接合構造２０等を浴室ユニット１０に設けているが、この発明にかかる止水構造は、浴室ユニットだけでなく、洗面室等、壁パネルを接合するユニットルームであれば利用が可能である。
【図面の簡単な説明】
【００６１】
【図１】本発明にかかる第１実施形態の接合構造を備えた浴室ユニットの内部を上方から見た状態を示す平面図である。
【図２】フロアに壁パネルを取り付ける状態を示す断面図であり、（ａ）は立上げ部に壁パネルの下端面を対向させた状態、（ｂ）は立上げ部に壁パネルを取り付けた状態を示している。
【図３】第１実施形態による壁パネルを平継ぎで接合した接合構造を示す横断面図である。
【図４】図３に示した接合構造を組み付ける状態を示す横断面図である。
【図５】第１実施形態による壁パネルを角部で接合した接合構造を示す横断面図である。
【図６】第２実施形態による壁パネルを平継ぎで接合した接合構造を示す横断面図である。
【図７】第２実施形態による壁パネルを角部で接合した接合構造を示す横断面図である。
【図８】第３実施形態による壁パネルを平継ぎで接合した接合構造を示す横断面図である。
【図９】第３実施形態による壁パネルを角部で接合した接合構造を示す横断面図である。
【図１０】フロアに壁パネルを取り付けた状態を示す断面図である。
【符号の説明】
【００６２】
１０…浴室ユニット、１３ａ，１３ｂ，１３ｃ，１３ｄ，１３ｅ，４９ａ，４９ｂ，５９ａ，５９ｂ，６０ａ，６０ｂ，６０ｃ…壁パネル、２０，３０，４０，５０，６０，７０…接合構造、２１，３１，４１，５１，６１，７１…ジョイント材、２２ａ，２２ｂ，３２ａ，３２ｅ，４２ａ，４２ｂ，５２ａ，５２ｂ，６２ａ，６２ｂ，７２ｂ，７２ｃ…係合溝部、２３ａ，２３ｂ，３３ａ，３３ｅ，４３ａ，４３ｂ，５３ａ，５３ｂ，６３ａ，６３ｂ，７３ｂ，７３ｃ…フック用溝部、２４，３４，４４，５４，６１ａ，７１ａ…スペーサ部、２５，３５ａ，３５ｅ，４５，５５ａ，５５ｂ，６１ｂ，７８ｂ，７８ｃ…補強部、２６ａ，２６ｂ，３６ａ，３６ｅ，４６ａ，４６ｂ，５６ａ，５６ｂ，６１ｃ，６１ｄ，７１ｃ，７１ｄ…係合突部、２７ａ，２７ｂ，３７ａ，３７ｅ，４７ａ，４７ｂ，５７ａ，５７ｂ，６１ｅ，６１ｆ，７１ｅ，７１ｆ…フック部、２８，３８，４８，６４ｂ，７４ｃ…切欠き部、３４ａ，３４ｅ，５４ａ，５４ｂ…接触面部。
【図１】
2005146591.tif 000003
【図２】
2005146591.tif 000004
【図３】
2005146591.tif 000005
【図４】
2005146591.tif 000006
【図５】
2005146591.tif 000007
【図６】
2005146591.tif 000008
【図７】
2005146591.tif 000009
【図８】
2005146591.tif 000010
【図９】
2005146591.tif 000011
【図１０】
2005146591.tif 000012